(57)【要約】【課題】  TV受像装置で番組を視聴するとき、室内が暗いとTV画面の明るさと室内の明るさの比率が大きくなって眼や脳にとって悪影響を及ぼす。特に子供がアニメなどに夢中になっている場合にはそのまま視聴し続ける可能性が高い。しかし室内が暗くなってきたときに視聴を諦めてTV受像装置をオフしてしまうと、見たい番組が見られないという問題がある。【解決手段】  TV受像装置は放送電波から受信されたEPGデータを記憶しており、TV受像装置の周囲の明るさを検出し(S5)、EPGデータにより分類された特定の番組が開始された場合、TV受像装置の周囲の明るさが所定の明るさより暗くなったとき(S6)放送番組の画面を表示しない(S7)ようにし、放送番組の画面を表示しないようにした後、光センサによりTV受像装置の周囲の明るさを検出して(S8)、所定の明るさより明るくなったことが検出されたら(S9)放送番組の画面を再表示する(S10)。【選択図】図３
2006229609.tif 000002
【特許請求の範囲】
【請求項１】
放送電波を受信し放送番組の映像と音声を再生するテレビ受像装置において、
前記テレビ受像装置の周囲の明るさを検出する光センサと、
受信された放送電波からＥＰＧデータを得て記憶する記憶手段と、
前記ＥＰＧデータにより分類された特定の番組が開始された場合、前記光センサにより前記テレビ受像装置の周囲の明るさを検出して所定の明るさより暗くなったことが検出されたら放送番組を画面に表示しないように制御する番組非表示制御手段を備えたことを特徴とするテレビ受像装置。
【請求項２】
前記ＥＰＧデータにより分類された前記特定の番組は、アニメ番組であることを特徴とする請求項１に記載のテレビ受像装置。
【請求項３】
前記ＥＰＧデータにより分類された前記特定の番組は、特定の年齢条件が与えられた番組であることを特徴とする請求項１に記載のテレビ受像装置。
【請求項４】
前記ＥＰＧデータにより分類された前記特定の番組は、アニメ番組であって、しかも特定の時間帯に放送される番組であることを特徴とする請求項１に記載のテレビ受像装置。
【請求項５】
前記ＥＰＧデータにより分類された前記特定の番組は、特定の年齢条件が与えられた番組であって、しかも特定の時間帯に放送される番組であることを特徴とする請求項１に記載のテレビ受像装置。
【請求項６】
放送電波を受信し放送番組の映像と音声を再生するテレビ受像装置において、
放送番組の記録と再生を同時に行うことができる記録装置と、
前記テレビ受像装置の周囲の明るさを検出する光センサと、
受信された放送電波からＥＰＧデータを得て記憶する記憶手段と、
前記ＥＰＧデータにより分類された特定の番組が開始された場合、前記光センサにより前記テレビ受像装置の周囲の明るさを検出して所定の明るさより暗くなったことが検出されたら放送番組を画面に表示しないように制御する番組非表示制御手段と、
前記番組非表示制御手段により放送番組の画面を表示しないようにした後、前記光センサにより前記テレビ受像装置の周囲の明るさを検出して所定の明るさより明るくなったことが検出されたら前記記録装置に記録した放送番組を画面に再表示するように制御する番組再表示制御手段とを備えたことを特徴とするテレビ受像装置。
【請求項７】
前記番組再表示制御手段は、前記記録装置に記録した番組を追い掛け再生する追い掛け再生手段を備えたことを特徴とする請求項６に記載のテレビ受像装置。
【請求項８】
前記追い掛け再生手段は、
番組の初めから開始するか、又は前記番組非表示制御手段により放送番組の画面を表示しないようにした時点から開始するかを選択する選択手段を備えたことを特徴とする請求項７に記載のテレビ受像装置。
【請求項９】
放送電波から受信されたＥＰＧデータを得て記憶し、
前記テレビ受像装置の周囲の明るさを検出し、
前記ＥＰＧデータにより分類された特定の番組が開始された場合、前記テレビ受像装置の周囲の明るさが所定の明るさより暗くなったとき放送番組を画面に表示しないようにしたことを特徴とするテレビ受像装置の番組表示方法。
【請求項１０】
ＥＰＧデータにより分類された前記特定の番組は、アニメ番組であることを特徴とする請求項９に記載のテレビ受像装置の番組表示方法。
【請求項１１】
ＥＰＧデータにより分類された前記特定の番組は、特定の年齢条件が与えられた番組であることを特徴とする請求項９に記載のテレビ受像装置の番組表示方法。
【請求項１２】
ＥＰＧデータにより分類された前記特定の番組は、アニメ番組であって、しかも特定の時間帯に放送される番組であることを特徴とする請求項９に記載のテレビ受像装置の番組表示方法。
【請求項１３】
ＥＰＧデータにより分類された前記特定の番組は、特定の年齢条件が与えられた番組であって、しかも特定の時間帯に放送される番組であることを特徴とする請求項９に記載のテレビ受像装置の番組表示方法。
【請求項１４】
放送電波から受信されたＥＰＧデータを得て記憶し、
放送電波から受信された放送番組を記録装置に記録し、
前記テレビ受像装置の周囲の明るさを検出し、
前記ＥＰＧデータにより分類された特定の番組が開始された場合、前記テレビ受像装置の周囲の明るさが所定の明るさより暗くなったとき放送番組を画面に表示しないようにし、
放送番組を画面に表示しないようにした後、前記光センサにより前記テレビ受像装置の周囲の明るさを検出して所定の明るさより明るくなったことが検出されたら前記記録装置に記録した放送番組を画面に再表示することを特徴とするテレビ受像装置の番組表示方法。
【請求項１５】
放送番組を画面に表示しないようにした後、前記テレビ受像装置の周囲の明るさが所定の明るさより明るくなったとき放送番組を画面に再表示する際に、前記記録装置に記録した番組を追い掛け再生により番組再生することを特徴とする請求項１４に記載のテレビ受像装置の番組表示方法。
【請求項１６】
追い掛け再生する際に、番組の初めから開始するか、又は前記テレビ受像装置の周囲の明るさが所定の明るさより暗くなって放送番組の画面が表示されなくなったところから開始するかを選択して再生することを特徴とする請求項１５に記載のテレビ受像装置の番組表示方法。
【発明の詳細な説明】
【技術分野】
【０００１】
本発明は、テレビ受像装置に係り、特に子供向け番組を放送しているときに室内の明るさをチェックして視聴者、特に子供の健康を保護するのに好適なテレビ受像装置に関する。
【背景技術】
【０００２】
テレビ受像装置（以下テレビをＴＶと表記する）は、いろいろなユーザがさまざまな環境下において視聴する。この場合ＴＶ画面の周囲の明るさ（室内の明るさ）が、ＴＶを視聴するのに不適当な明るさになり、視聴していると眼が非常に疲れるような状態になることがある。例えば夕方、室内が暗くなってきたときに室内照明をつけないで視聴していると、ＴＶ画面の明るさと室内の明るさの比率が大きくなって眼が非常に疲れる状態となる。また、このような状態ではＴＶ画面の変化が強調されて脳に悪い刺激が与えられことも考えられる。
【０００３】
通常、このような場合、大人であれば室内照明をつけることになる。しかし、子供（特に幼児など）は室内照明をつけることなしに、そのまま視聴し続ける場合がある。特に子供向けアニメなどに夢中になっている場合にはそのまま視聴し続ける可能性が高い。
これに対し、室内の明るさが暗くなってきたとき、室内の明るさに応じてＴＶ画面の輝度を調整して見易くする従来技術が、例えば特開平６−２９６２５３号公報（特許文献１）などで提案されている。
【特許文献１】特開平６−２９６２５３号公報
【発明の開示】
【発明が解決しようとする課題】
【０００４】
上記特許文献１などに提案されている従来技術は、室内の明るさに応じてＴＶ画面の輝度を調整しているため、室内が暗くなるとＴＶ画面の輝度も低下して全体が暗くなってしまう。したがって、この場合、暗闇で暗い画面を見ることになり、これも眼の疲労や脳に悪影響を及ぼす原因となる。また、室内が暗くなってきたときに視聴を諦めてＴＶ受像装置をオフしてしまうと、見たい番組が見られないという問題がある。
【０００５】
本発明の目的は、上記従来技術の問題に鑑み、室内が暗くなったときにＴＶ受像装置を自動的にオフするけれども、視聴したい番組は見ることができるテレビ受像装置を提供することにある。
【課題を解決するための手段】
【０００６】
本発明の請求項１に係る発明の要旨は、放送電波を受信し放送番組の映像と音声を再生するテレビ受像装置において、前記テレビ受像装置の周囲の明るさを検出する光センサと、受信された放送電波からＥＰＧデータを得て記憶する記憶手段と、前記ＥＰＧデータにより分類された特定の番組が開始された場合、前記光センサにより前記テレビ受像装置の周囲の明るさを検出して所定の明るさより暗くなったことが検出されたら放送番組を画面に表示しないように制御する番組非表示制御手段を備えたことを特徴とするテレビ受像装置に存する。
また、本発明の請求項２に係る発明の要旨は、前記ＥＰＧデータにより分類された前記特定の番組は、アニメ番組であることを特徴とする請求項１に記載のテレビ受像装置に存する。
また、本発明の請求項３に係る発明の要旨は、前記ＥＰＧデータにより分類された前記特定の番組は、特定の年齢条件が与えられた番組であることを特徴とする請求項１に記載のテレビ受像装置に存する。
また、本発明の請求項４に係る発明の要旨は、前記ＥＰＧデータにより分類された前記特定の番組は、アニメ番組であって、しかも特定の時間帯に放送される番組であることを特徴とする請求項１に記載のテレビ受像装置に存する。
また、本発明の請求項５に係る発明の要旨は、前記ＥＰＧデータにより分類された前記特定の番組は、特定の年齢条件が与えられた番組であって、しかも特定の時間帯に放送される番組であることを特徴とする請求項１に記載のテレビ受像装置に存する。
また、本発明の請求項６に係る発明の要旨は、放送電波を受信し放送番組の映像と音声を再生するテレビ受像装置において、放送番組の記録と再生を同時に行うことができる記録装置と、前記テレビ受像装置の周囲の明るさを検出する光センサと、受信された放送電波からＥＰＧデータを得て記憶する記憶手段と、前記ＥＰＧデータにより分類された特定の番組が開始された場合、前記光センサにより前記テレビ受像装置の周囲の明るさを検出して所定の明るさより暗くなったことが検出されたら放送番組を画面に表示しないように制御する番組非表示制御手段と、前記番組非表示制御手段により放送番組の画面を表示しないようにした後、前記光センサにより前記テレビ受像装置の周囲の明るさを検出して所定の明るさより明るくなったことが検出されたら前記記録装置に記録した放送番組を画面に再表示するように制御する番組再表示制御手段とを備えたことを特徴とするテレビ受像装置に存する。
また、本発明の請求項７に係る発明の要旨は、前記番組再表示制御手段は、前記記録装置に記録した番組を追い掛け再生する追い掛け再生手段を備えたことを特徴とする請求項６に記載のテレビ受像装置に存する。
また、本発明の請求項８に係る発明の要旨は、前記追い掛け再生手段は、番組の初めから開始するか、又は前記番組非表示制御手段により放送番組の画面を表示しないようにした時点から開始するかを選択する選択手段を備えたことを特徴とする請求項７に記載のテレビ受像装置に存する。
また、本発明の請求項９に係る発明の要旨は、放送電波から受信されたＥＰＧデータを得て記憶し、前記テレビ受像装置の周囲の明るさを検出し、前記ＥＰＧデータにより分類された特定の番組が開始された場合、前記テレビ受像装置の周囲の明るさが所定の明るさより暗くなったとき放送番組を画面に表示しないようにしたことを特徴とするテレビ受像装置の番組表示方法に存する。
また、本発明の請求項１０に係る発明の要旨は、ＥＰＧデータにより分類された前記特定の番組は、アニメ番組であることを特徴とする請求項９に記載のテレビ受像装置の番組表示方法に存する。
また、本発明の請求項１１に係る発明の要旨は、ＥＰＧデータにより分類された前記特定の番組は、特定の年齢条件が与えられた番組であることを特徴とする請求項９に記載のテレビ受像装置の番組表示方法に存する。
また、本発明の請求項１２に係る発明の要旨は、ＥＰＧデータにより分類された前記特定の番組は、アニメ番組であって、しかも特定の時間帯に放送される番組であることを特徴とする請求項９に記載のテレビ受像装置の番組表示方法に存する。
また、本発明の請求項１３に係る発明の要旨は、ＥＰＧデータにより分類された前記特定の番組は、特定の年齢条件が与えられた番組であって、しかも特定の時間帯に放送される番組であることを特徴とする請求項９に記載のテレビ受像装置の番組表示方法に存する。
また、本発明の請求項１４に係る発明の要旨は、放送電波から受信されたＥＰＧデータを得て記憶し、放送電波から受信された放送番組を記録装置に記録し、前記テレビ受像装置の周囲の明るさを検出し、前記ＥＰＧデータにより分類された特定の番組が開始された場合、前記テレビ受像装置の周囲の明るさが所定の明るさより暗くなったとき放送番組を画面に表示しないようにし、放送番組を画面に表示しないようにした後、前記光センサにより前記テレビ受像装置の周囲の明るさを検出して所定の明るさより明るくなったことが検出されたら前記記録装置に記録した放送番組を画面に再表示することを特徴とするテレビ受像装置の番組表示方法に存する。
また、本発明の請求項１５に係る発明の要旨は、放送番組を画面に表示しないようにした後、前記テレビ受像装置の周囲の明るさが所定の明るさより明るくなったとき放送番組を画面に再表示する際に、前記記録装置に記録した番組を追い掛け再生により番組再生することを特徴とする請求項１４に記載のテレビ受像装置の番組表示方法に存する。
また、本発明の請求項１６に係る発明の要旨は、追い掛け再生する際に、番組の初めから開始するか、又は前記テレビ受像装置の周囲の明るさが所定の明るさより暗くなって放送番組の画面が表示されなくなったところから開始するかを選択して再生することを特徴とする請求項１５に記載のテレビ受像装置の番組表示方法に存する。
【発明の効果】
【０００７】
本発明によれば、室内が暗くなったときにＴＶ受像装置を自動的にオフすることができる。これにより視聴者（特に子供）の健康を保護することができる。
また、視聴したい番組は自動的に録画され、室内が明るくなったとき追い掛け再生により再生して見ることができる。
【発明を実施するための最良の形態】
【０００８】
次に、本発明を実施するための最良の形態を、図面を参照して具体的に説明する。
（第１の実施の形態）
本発明による第１の実施の形態を図１乃至図５を参照して説明する。
【０００９】
図１は本発明の第１の実施の形態における具体的なＴＶ受像装置の構成図である。
図１において、１は放送電波を受信するアンテナ、２は放送番組を受信して再生するＴＶ受像装置、３はＴＶ受像装置２を遠隔操作するリモートコントローラ（以下リモコンという）である。なお、アンテナ１は、地上波デジタル放送、ＢＳデジタル放送、ＣＳデジタル放送で異なるものを複数必要とする場合も、アンテナ１として簡易に図示してある。また、ＤＶＤやビデオ装置などが外部機器４としＴＶ受像装置２に接続できるようになっている。
【００１０】
更にテレビジョン受像装置２の構成を説明すると、１０乃至１２はチューナーであり所望のチャンネルを選局してその信号を出力する。１０は地上波デジタル放送用チューナー、１１はＢＳデジタル放送用チューナー、１２はＣＳデジタル放送用チューナーである。
【００１１】
また、１３は、地上波デジタル放送用チューナー１０、ＢＳデジタル放送用チューナー１１、ＣＳデジタル放送用チューナー１２から出力された信号、及び外部機器４から入力された信号を切り替えて出力する切り替えスイッチである。切り替えスイッチ１３はマイクロコントローラ（以下マイコンという）２０の切り替え指令により地上波デジタル放送用チューナー１０の出力信号、ＢＳデジタル放送用チューナー１１の出力信号、ＣＳデジタル放送用チューナー１２の出力信号、及び外部機器４からの出力信号のいずれかを選択するようになっている。
【００１２】
切り替えスイッチ１３から選択して出力されたデジタル映像信号は、デジタル放送デコーダー１４に入力される。また、放送電波からはＥＰＧ（電子番組ガイド）も受信され、デジタル放送デコーダー１４に入力される。デジタル放送デコーダー１４はＥＰＧメモリ、ＥＰＧデコーダーなどで構成されている。記憶部１５には、本実施の形態の動作プログラム、及びデジタル放送デコーダー１４でデコードされたＥＰＧの各種データ（放送番組開始時間、放送番組終了時間、番組のジャンル、番組のサブジャンル、視聴者年齢制限情報、検索キーワード情報、番組登場人物の名前など）、放送番組が室内が暗くなったために中止された点のＨＤＤ内記憶アドレスなどが記憶されている。
【００１３】
デジタル放送デコーダー１４から出力されたデジタル映像信号は、ＩＰ変換／ＲＧＢプロセッサ１６に入力される。ＩＰ変換／ＲＧＢプロセッサ１６はインターレスとプログレッシブの変換やＲ（赤）、Ｇ（緑）、Ｂ（青）信号を生成するプロセッサである。ＩＰ変換／ＲＧＢプロセッサ１６から出力されたデジタル映像信号は、液晶表示装置などの表示装置１７に入力され、選局された放送番組などが画面に表示される。なお、図１では音声出力部は図示を省略している。
【００１４】
１９はリモコン受信部であり、リモコン３からの赤外線による操作信号を受信する。ＴＶ受像装置２はリモコン受信部１９で受信したリモコン３の操作信号をＴＶ受像装置２全体を制御するマイコン２０に送り、この信号を受け取ったマイコン２０は、チャンネル切り替えや、番組予約など各種メニュー操作を実行する。
【００１５】
図２はリモコン３を拡大して示したもので、リモコン３には、操作ボタン３０１〜３１３などが配置されている。操作ボタン３０１は電源ＯＮ／ＯＦＦ用ボタンである。操作ボタン３０２はチャンネル選択ボタンである。操作ボタン３０３は地上波デジタル放送を選択するボタンである。操作ボタン３０４はＢＳデジタル放送を選択するボタンである。操作ボタン３０５は１１０度ＣＳデジタル放送を選択するボタンである。操作ボタン３０６はＥＰＧデータを使った番組表を表示するボタンである。操作ボタン３０７は選局されている放送に対する裏番組の番組表をＥＰＧデータを使って表示するボタンである。操作ボタン３０６は選択された番組の詳細情報を表示させるボタンである。操作ボタン３０９〜３１２は表示装置１７に表示された番組表やメニューにおける選択項目を矢印方向に移動させるボタンである。操作ボタン３１３は、表示装置１７に表示された番組表やメニューにおける選択項目を決定するボタンである。
【００１６】
また、ＴＶ受像装置２は放送番組などを記録するために更に内蔵の記憶装置としてハードディスク（以下ＨＤＤという）１８を備えている。この記憶装置１８は、例えば本実施の形態では、対象となる放送番組を番組開始から番組終了までの時間において記憶するのに十分な記憶容量を有しており、追い掛け再生することができる。なお、追い掛け再生とは、放送番組をＨＤＤ１８に記憶しつつ放送番組を追いかけるように再生することができる再生方法をいい、既にＴＶ受像装置に適用したものが市販されている。
【００１７】
追い掛け再生の技術としては、例えば特公平６−１０１１８４号公報（記録と再生を同時に行う装置が提案されている）、特許第３０６０１５２号公報（ＨＤＤに記憶されたデータの読み出し方が提案されている）などに詳しく記載されている。本発明の本実施の形態ではこれら公報に記載された追い掛け再生装置、及び方法を利用することができる。
【００１８】
また、ＴＶ受像装置２は更にTV受像装置の周囲の明るさ（TV受像装置が室内に設置されているときは室内の明るさ）を検出するホトセンサ部２１を備えている。このホトセンサ部２１はＴＶ受像装置の周囲から入ってくる光を受光し、明るさに比例する電圧信号に変換してマイコン２０に出力する。ホトセンサ部２１には、ホトダイオードなどの光センサが使用される。ホトセンサ部２１は、この光センサにより光を受光し、その出力をトランジスタなどで電圧増幅して出力する。
【００１９】
次に図３を参照して第１の実施の形態の動作フローを説明する。
まず、ステップＳ１において、リモコンの操作ボタン３０１〜３１３などを操作してＴＶ電源をＯＮして視聴が開始される。同時にＨＤＤが起動されて受信されている放送番組の記録が開始される。
【００２０】
ステップＳ２では記憶部１５に記憶されたＥＰＧデータを基に、現在受信中の放送番組が「アニメ」のジャンルであるかどうかをチェックする。「アニメ」のジャンルでチェックする理由は、アニメ番組が子供向けとして放送される場合が多く、またアニメの画像が子供の健康に影響を及ぼす度合いが大きいことによる。「アニメ」のジャンルの放送が検出されなかったとき（ＮＯのとき）は、ステップＳ３で所定の待ち時間だけ待って、その後にステップＳ２に戻り再度現在受信中の放送番組が「アニメ」のジャンルであるかどうかをチェックする。これは「アニメ」のジャンルの放送が検出されるまで継続される。このステップＳ３の所定の待ち時間はマイコンの動作を安定させるために設けられているもので、ステップＳ２の検出動作の時間間隔を決めている。
【００２１】
ステップＳ２で「アニメ」のジャンルの放送が検出される（ＹＥＳのとき）と、ステップＳ４に進む。ステップＳ４において、検出された当該アニメの番組開始時点をマーク点として記録するために、ＨＤＤ１８のアニメの番組開始時点のアドレスを記憶部１５に記憶する。このアドレスをＭ１とする。
【００２２】
次にステップＳ５に進む。ステップＳ５では、ホトセンサ部２１から出力される信号をマイコン２０に取り込み、室内の明るさを検出する。ステップＳ６において、検出された明るさが基準の明るさに比べ明るいか暗いかが判断される。
【００２３】
これは記憶部１５に明るさの基準値を記憶しておき、この基準値とホトセンサ部２１で検出された室内の明るさに対応する値をマイコン２０によって比較演算することにより明るさが判断できる。あるいはホトセンサ部２１内に明るさの基準値を設けておき、この基準値とホトセンサによって検出された室内の明るさに対応する値とを比較器により比較して、その結果をホトセンサ部２１から出力するようにしても良い。例えば、ホトセンサ部２１は、基準値より大きい場合１を出力し、基準値より小さい場合０を出力して、マイコン２０がホトセンサ部２１からの１、０の信号を見ることによって明るさが判断できる。
【００２４】
ステップＳ６において、室内の明るさが基準より明るいと判断されたとき（ＮＯのとき）にはステップＳ５に戻り室内の明るさを再度検出する。室内の明るさが基準より明るいときはステップＳ５、Ｓ６の実行が継続される。
【００２５】
ステップＳ６において、室内の明るさが基準より暗いと判断されたとき（ＹＥＳのとき）にはステップＳ７に進む。ステップＳ７ではＴＶ画面をＯＦＦして番組を表示しない。そして、このＯＦＦした当該アニメの画面表示中止時点をマーク点として記録するために、ＨＤＤ１８のアニメの画面表示中止時点のアドレスを記憶部１５に記憶する。このアドレスをＭ２とする。
【００２６】
上記ＴＶ画面をＯＦＦして番組を表示しないときに、図４のような「室内が暗いので、番組を中止します。再開するには室内を明るくしてください。」というような表示をさせてもよい。この表示により、室内の明るさが基準値を下回ったことをユーザが認識する。このような表示は子供（特に幼児）には理解できなくても、例えば母親が外出から帰ってきたときにこの画面を見て認識し、照明器具を点灯させることができる。
【００２７】
上記のように、ステップＳ５乃至ステップＳ７は、室内の明るさを検出して番組の画面を非表示にする番組非表示制御工程を構成している。また図１に示した各機能ブロックがマイコン２０により制御されるＴＶ受像機２は、ステップＳ５乃至ステップＳ７の工程を実行する番組非表示制御手段を備えているものである。
【００２８】
次に、ステップＳ８に進み、ホトセンサ部２１から出力される信号をマイコン２０に取り込み、室内の明るさを検出する。
【００２９】
次に、ステップＳ９において、検出された明るさが基準の明るさに比べ明るいか暗いかが判断される。ステップＳ９において、室内の明るさが基準より暗いと判断されたとき（ＮＯのとき）にはステップＳ８に戻り室内の明るさを再度検出する。室内の明るさが基準より暗いときはステップＳ８、Ｓ９の実行が継続される。
【００３０】
ステップＳ９において、室内の明るさが基準より明るいと判断されたとき（ＹＥＳのとき）にはステップＳ１０に進む。ステップＳ１０ではＨＤＤ１８に記憶されたデータを追い掛け再生する。追い掛け再生する場合に、視聴者の好みより、番組の初めから再生したい場合と、番組を中止されてしまった部分から再生したい場合がある場合に対応して、図５に示したようなメニュー表示をさせることができる。
【００３１】
図５は、どこから再生するかをユーザに選択させるために、「どこから見ますか？」との表示の下に「番組の初めから見る」「画面が消えたところから見る」の２つの選択項目をカーソル３０で選択できるようになっている。このメニュー画面のカーソル３０はリモコン３の操作ボタン３０９、３１１を使って移動させることができる。そしてカーソル３０が指し示している項目でよいと判断したとき、操作ボタン３１３を押下すれば、選択した開始時点（マーク点Ｍ１又はＭ２）から追い掛け再生が開始される。
なお、ステップＳ１０において、常に番組の初めから再生する場合にはマーク点Ｍ２のアドレスを記憶するするステップＳ７は省略することができる。
【００３２】
上記のように、ステップＳ８乃至ステップＳ１０は、室内の明るさを検出して番組の画面を再表示する番組再表示制御工程を構成している。また図１に示した各機能ブロックがマイコン２０により制御されるＴＶ受像機２は、ステップＳ８乃至ステップＳ１０の工程を実行する番組再表示制御手段を備えているものである。
【００３３】
本実施の形態によれば、室内が暗くなったときにＴＶ受像装置を自動的にオフすることができる。これにより視聴者（特に子供）の健康を保護することができる。
また、視聴したい番組は自動的に録画され、室内が明るくなったとき追い掛け再生により再生して見ることができる。
【００３４】
（第２の実施の形態）
上記第１の実施の形態では、図３で示したステップＳ２において、ジャンル「アニメ」を検出することにより子供向け番組が放送されているであろうとしたが、第２の実施の形態では、子供向け番組を検出する方法として、ＥＰＧの他の情報を採用したもの、あるいは複数の情報を組み合わせたものを採用する。
【００３５】
図６は図３のステップＳ２に代えて、ＥＰＧデータを基にして年齢条件６歳以下を検出するステップＳ１１としたものである。図６のステップＳ３、ステップＳ１１はＳ１（ステップＳ１）とＳ４（ステップＳ４）の間に挿入されていることを示している。ステップＳ１１において、ＥＰＧデータを基に放送されている番組が年齢条件「６歳以下」のものか否かをテックし、「６歳以下」を検出したら（ＹＥＳのとき）ステップＳ４に進むようになっている。また「６歳以下」を検出しない間（ＮＯのとき）は所定の待ち時間（ステップＳ３）の後にステップＳ１１に戻るようになっている。
【００３６】
なお、ＥＰＧデータとして、現在、サブジャンルなどのデータが順次拡張されている段階にあるので、この実施の形態は「年齢条件６歳以下」のＥＰＧデータがあるものとして以下記載する。この年齢「６歳以下」は幼児を対象とした一例であり、子供向け番組を何歳で区切るかは１８歳未満の範囲で適宜決めることができる。
図６の実施の形態によればアニメに限らず、子供向け番組を検出できる。
【００３７】
図７はジャンル「アニメ」と「放送時間帯６：００〜２１：００」の組み合わせによって子供向け番組を検出するものである。図７のステップＳ３、ステップＳ１１、ステップ１２はＳ１（ステップＳ１）とＳ４（ステップＳ４）の間に挿入されていることを示している。
ステップＳ１１において、ＥＰＧデータを基に放送されている番組が年齢条件「６歳以下」のものか否かをテックし、「６歳以下」を検出したら（ＹＥＳのとき）ステップＳ１２に進むようになっている。ステップＳ１２ではＥＰＧデータを基に放送されている番組の時間帯をチェックし、６：００〜２１：００のとき（ＹＥＳのとき）ステップＳ４に進むようになっている。
またステップＳ１１で「６歳以下」を検出しない間（ＮＯのとき）、及びステップＳ１２で番組放送時間帯が６：００〜２１：００でないとき（ＮＯのとき）は所定の待ち時間（ステップＳ３）の後にステップＳ１１に戻るようになっている。なお、上記時間帯６：００〜２１：００は一例であって、これに限ることはない。
【００３８】
その他、ステップＳ１１にジャンル「アニメ」、ステップＳ１２に放送時間帯を組み合わせたような、いろいろな変形例が考えられるが、要するに図３のステップＳ２に代わる子供向け番組を検出できるステップとするものである。
【００３９】
以上、具体的な実施の形態について説明したが、以上の説明で、ＴＶ受像装置２に内蔵の記憶装置はハードディスク（ＨＤＤ）１８を例に説明したが、これに限らず半導体メモリ装置、光ディスク装置、磁気ディスク装置、光磁気ディスク装置などを使用することもできる。
また、本発明は、子供向け番組に限らず、健康を保護するために、ユーザの意思により任意のジャンルやその他の条件をＥＰＧデータから取得して、上記実施の形態の「子供向け番組」としたものに代えて実施することが可能である。
また、本発明は上記実施の形態に限定されることなく、本発明の要旨の範囲内で適宜変更して実施することができることはいうまでもない。
【産業上の利用可能性】
【００４０】
本発明は、ＴＶ受像装置により番組を視聴する際に、健康を保護するために広く利用できる。
【図面の簡単な説明】
【００４１】
【図１】本発明の第１の実施の形態によるＴＶ受像装置の構成図である。
【図２】本発明の第１の実施の形態のＴＶ受像装置を操作するリモコンの拡大図である。
【図３】本発明の第１の実施の形態によるＴＶ受像装置の動作フローチャートである。
【図４】本発明の第１の実施の形態によるＴＶ受像装置の画面表示の一例を示した図である。
【図５】本発明の第１の実施の形態によるＴＶ受像装置の画面表示の他の一例を示した図である。
【図６】本発明の第２の実施の形態によるＴＶ受像装置の動作フローチャートである。
【図７】本発明の第２の実施の形態の変形例によるＴＶ受像装置の動作フローチャートである。
【符号の説明】
【００４２】
１・・・アンテナ
２・・・ＴＶ受像装置
３・・・リモコン（リモートコントローラ）
４・・・外部機器
１０・・・地上波デジタル放送用チューナー
１１・・・ＢＳデジタル放送用チューナー
１２・・・ＣＳデジタル放送用チューナー
１３・・・切り替えスイッチ
１４・・・デジタル放送デコーダー
１５・・・記憶部
１６・・・ＩＰ変換／ＲＧＢプロセッサ
１７・・・表示装置
１８・・・ＨＤＤ（ハードディスク）
１９・・・リモコン受信部
２０・・・マイコン（マイクロコントローラ）
２１・・・ホトセンサ部
３０・・・カーソル
３０１〜３１３・・・操作ボタン
【図１】
2006229609.tif 000003
【図２】
2006229609.tif 000004
【図３】
2006229609.tif 000005
【図４】
2006229609.tif 000006
【図５】
2006229609.tif 000007
【図６】
2006229609.tif 000008
【図７】
2006229609.tif 000009